(57)【特許請求の範囲】
【請求項１】
接続相手である他の近距離無線通信装置との間で複数のプロファイルを同時に接続可能な近距離無線通信装置において、
当該近距離無線通信装置が前記他の近距離無線通信装置との間で所定のプロファイルを接続している間に前記他の近距離無線通信装置から要求された別のプロファイルの接続要求を当該近距離無線通信装置が受け入れなかったことに起因して前記所定のプロファイルの接続が切断されたか否かを検出する通信切断検出手段と、
前記通信切断検出手段によって前記所定のプロファイルの接続が切断されたことが検出されたことに基づいて、前記他の近距離無線通信装置との間で前記所定のプロファイルを再接続する通信再接続手段とを備えることを特徴とする近距離無線通信装置。
【請求項２】
請求項１に記載の近距離無線通信装置において、
前記通信切断検出手段は、前記他の近距離無線通信装置との間で所定のプロファイルを接続している間に前記他の近距離無線通信装置から要求された別のプロファイルの接続要求を当該近距離無線通信装置が受け入れなかった時点を基準として経過時間を計時開始し、その経過時間が所定時間経過する前に前記所定のプロファイルの接続が切断されたことをもって、前記所定のプロファイルの接続が切断されたことを検出することを特徴とする近距離無線通信装置。
【請求項３】
請求項１または２に記載の近距離無線通信装置において、
当該近距離無線通信装置は、他の近距離無線通信装置に対し要求したプロファイルを接続し、他の近距離無線通信装置から当該近距離無線通信装置に対し要求されたプロファイルの接続要求を受け入れない仕様を有しており、
前記通信再接続手段は、前記所定のプロファイルを再接続した後、前記他の近距離無線通信装置から別のプロファイルの接続要求が再度要求された場合には、その要求を受け入れることを特徴とする近距離無線通信装置。
【請求項４】
請求項１または２に記載の近距離無線通信装置において、
当該近距離無線通信装置は、リソースが不足している場合には、他の近距離無線通信装置から要求されたプロファイルの接続を受け入れず、
前記通信再接続手段は、前記通信切断検出手段によって前記所定のプロファイルの接続が切断されたことが検出されたことに基づいて、前記別のプロファイルを接続するに当たり必要なリソースを確保した上で、別のプロファイルを再接続することを特徴とする近距離無線通信装置。
【請求項５】
接続相手である他の近距離無線通信装置との間で複数のプロファイルを同時に接続可能な近距離無線通信装置において、
前記他の近距離無線通信装置との間で所定のプロファイルを接続している間に要求された別のプロファイルの接続要求を当該近距離無線通信装置が受け入れない場合には前記所定のプロファイルの接続を切断する前記他の近距離無線通信装置から前記別のプロファイルの接続を要求されたことに基づいて、一旦、前記別のプロファイルの接続要求を受け入れることを保留し、その保留している間に前記別のプロファイルを接続するに当たり必要なリソースを確保した後、前記別のプロファイルの接続要求を受け入れることを特徴とする近距離無線通信装置。
【請求項６】
請求項５に記載の近距離無線通信装置において、
前記別のプロファイルの接続要求を受け入れることを保留する旨を示す保留応答を前記別の近距離無線通信装置に対し送信することを特徴とする近距離無線通信装置。
【請求項７】
請求項５または６に記載の近距離無線通信装置において、
前記所定のプロファイル以外に接続しているプロファイルを切断することにより、前記必要なリソースを確保することを特徴とする近距離無線通信装置。
【発明の詳細な説明】
【技術分野】
【０００１】
本発明は、接続相手である他の近距離無線通信装置との間で複数のプロファイルを同時に接続可能な近距離無線通信装置に関する。
【背景技術】
【０００２】
近距離無線通信装置として、Ｂｌｕｅｔｏｏｔｈ（登録商標、以下ＢＴと略記する）通信機能を有するＢＴ通信装置が知られており、例えば特許文献１〜３に記載の技術のように、接続相手である別のＢＴ通信装置との間でＢＴの通信規格で規定されている複数のプロファイルを同時に接続可能（いわゆるマルチプロファイル接続可能）なＢＴ通信装置が知られている。なお、プロファイルとは機能毎に定義された通信プロトコルを意味する。
【先行技術文献】
【特許文献】
【０００３】
【特許文献１】特開２００７−２８１６５２号公報
【特許文献２】特開２００７−１５８６７０号公報
【特許文献３】特開２００８−５３８０５号公報
【発明の概要】
【発明が解決しようとする課題】
【０００４】
ところで、マルチプロファイル接続可能なＢＴ通信装置の中には、接続相手のＢＴ通信装置との間で例えばＨＦＰ（Hands-Free Profile）等を接続すると、さらに例えばＡ２ＤＰ（Advanced AudioDistribution Profile）等を接続しようとするＢＴ通信装置がある。以下、Ａ２ＤＰ等を接続しようとするＢＴ通信装置を第１ＢＴ通信装置とし、この第１ＢＴ通信装置と接続されるＢＴ通信装置を第２ＢＴ通信装置と呼ぶ。
【０００５】
第１ＢＴ通信装置は、接続相手の第２ＢＴ通信装置との間でＨＦＰを接続している間にＡ２ＤＰの接続要求を送信し、第２ＢＴ通信装置によりＡ２ＤＰの接続要求が受け入れられないと、先に接続していたＨＦＰの接続を切断してしまう（以下、「問題の動作」と記載）。
【０００６】
この「問題の動作」について詳しく説明する。第２ＢＴ通信装置が上記問題の動作を行なう第１ＢＴ通信装置との間でＨＦＰを接続すると、上記問題の動作を行なう第１ＢＴ通信装置は、第２ＢＴ通信装置に対しＡ２ＤＰの接続要求を送信する。ここで、第２ＢＴ通信装置が、その仕様に起因してＡ２ＤＰの接続要求を受け入れない、または、リソース不足に起因してＡ２ＤＰの接続要求を受け入れることができないと、上記問題の動作を行なう第１ＢＴ通信装置は、Ａ２ＤＰの接続要求を送信する前に接続していたＨＦＰをユーザの意思によらず切断し、ＨＦＰの接続が切断されたままの状態が維持されてしまう。
【０００７】
本発明は、上記実情に鑑みてなされたものであって、その目的は、接続されていたプロファイルの接続がユーザの意思によらず切断され、切断されたままの状態が維持されることを防止することのできる近距離無線通信装置を提供することにある。
【課題を解決するための手段】
【０００８】
こうした目的を達成するため、請求項１に記載の発明では、当該近距離無線通信装置が他の近距離無線通信装置との間で所定のプロファイルを接続している間に他の近距離無線通信装置から当該近距離無線通信装置に対し要求された別のプロファイルの接続要求を受け入れなかったことに起因して所定のプロファイルの接続が切断されたか否か（すなわち、接続されていた所定のプロファイルの接続がユーザの意思によらず切断されたか否か）が通信切断検出手段によって検出される。そして、通信切断検出手段によって所定のプロファイルの接続が切断されたことが検出されたことに基づいて、通信再接続手段によって所定のプロファイルが再接続される。これにより、接続されていたプロファイルの接続がユーザの意思によらず切断された場合に、切断されたままの状態が維持されることを防止することができるようになる。
【０００９】
上記請求項１に記載の構成において、請求項２に記載の発明のように、通信切断検出手段は、他の近距離無線通信装置との間で所定のプロファイルを接続している間に他の近距離無線通信装置から要求された別のプロファイルの接続要求を当該近距離無線通信装置が受け入れなかった時点を基準として経過時間を経時開始し、その経過時間が所定時間経過する前に所定のプロファイルの接続が切断されたことをもって、所定のプロファイルの接続が切断されたことを検出したとするとよい。これにより、例えば計時カウンタを備える等の簡素な構成にて、ユーザの意思によらないプロファイルの接続の切断を検出することができるようになる。
【００１０】
ところで、当該近距離無線通信装置が、他の近距離無線通信装置に対し要求したプロファイルを接続し、他の近距離無線通信装置から当該近距離無線通信装置に対し要求されたプロファイルの接続要求を受け入れない仕様を有している場合があり、この仕様を有している場合には次のような事態が生じることも考えられる。
【００１１】
すなわち、通信再接続手段によって他の近距離無線通信装置との間で所定のプロファイルが再接続されると、他の近距離無線通信装置から別のプロファイルの接続要求が再度要求される。当該近距離無線通信装置が上記仕様に起因してこの接続要求を受け入れないと、再接続した所定のプロファイルの接続が他の近距離無線通信装置によって再度切断されてしまう。その結果、接続されていたプロファイルのユーザの意思によらない切断とその切断されたプロファイルの再接続とが繰り返されてしまう。
【００１２】
そこで、上記請求項１または２に記載の構成において、当該近距離無線通信装置が上記仕様を有する場合には、請求項３に記載の発明のように、通信再接続手段は、所定のプロファイルを再接続した後、他の近距離無線通信装置から別のプロファイルの接続要求が再度要求された場合には、その要求を受け入れるようにする。これにより、再接続した所定のプロファイルの接続が他の近距離無線通信装置によって再度切断されることがなくなるため、接続されていたプロファイルのユーザの意思によらない切断とその切断されたプロファイルの再接続とは繰り返されなくなる。
【００１３】
また、当該近距離無線通信装置は、リソースが不足している場合には、他の近距離無線通信装置から要求されたプロファイルの接続を受け入れない場合があり、接続を受け入れない場合には次のような事態が生じることも考えられる。
【００１４】
すなわち、通信再接続手段によって他の近距離無線通信装置との間で所定のプロファイルが再接続されると、他の近距離無線通信装置から別のプロファイルの接続要求が再度要求される。当該近距離無線通信装置が、既に、その別のプロファイルの接続を、その他の近距離無線通信装置と行っている場合、当該近距離無線通信装置は、リソース不足により、他の近距離無線通信装置から要求された別のプロファイルの接続を受け入れることができない。このように、当該近距離無線通信装置がリソースが不足していることに起因して、他の近距離無線通信装置からの接続要求を受け入れないと、再接続した所定のプロファイルの接続が他の近距離無線通信装置によって再度切断されてしまう。その結果、接続されていたプロファイルのユーザの意思によらない切断とその切断されたプロファイルの再接続とが繰り返されてしまう。
【００１５】
そこで、上記請求項１または２に記載の構成において、当該近距離無線通信装置が上記仕様を有する場合には、請求項４に記載の発明のように、通信再接続手段は、通信切断検出手段によって所定のプロファイルの接続が切断されたことが検出されたことに基づいて、別のプロファイルを接続するに当たり、別のプロファイルの既接続を切断することにより、必要なリソースを確保した上で、別のプロファイルを再接続するとよい。これにより、再接続した所定のプロファイルの接続が他の近距離無線通信装置によって再度切断されることがなくなるため、接続されていたプロファイルのユーザの意思によらない切断とその切断されたプロファイルの再接続とは繰り返されなくなる。
【００１６】
また、上記目的を達成するため、請求項５に記載の発明では、接続相手である他の近距離無線通信装置との間で複数のプロファイルを同時に接続可能な近距離無線通信装置において、他の近距離無線通信装置との間で所定のプロファイルを接続している間に要求された別のプロファイルの接続要求を当該近距離無線通信装置が受け入れない場合には所定のプロファイルの接続を切断する他の近距離無線通信装置から別のプロファイルの接続を要求されたことに基づいて、一旦、別のプロファイルの接続要求を受け入れることを保留し、その保留している間に別のプロファイルを接続するに当たり必要なリソースを確保した後、別のプロファイルの接続要求を受け入れることとした。
【００１７】
近距離無線通信装置としての上記構成では、当該近距離無線通信装置は、他の近距離無線通信装置から別のプロファイルの接続要求を受けた場合に、その別のプロファイルの接続要求を受け入れないのではなく、一旦、別のプロファイルの接続要求を受け入れることを保留する。そのため、上記他の近距離無線通信装置は、その保留中、当該近距離無線通信装置との間で接続していた所定のプロファイルを切断しない。そして、当該近距離無線通信装置は、別のプロファイルの接続要求を受け入れることを保留している間に、換言すれば、所定のプロファイルが接続されている間に、別のプロファイルを接続するに必要なリソースを確保し、そのリソースを確保した後に、別のプロファイルの接続要求を受け入れる。したがって、所定のプロファイルの接続が切断されることなく、別のプロファイルが接続されることになる。このようにして、接続されていたプロファイルの接続がユーザの意思によらず切断されることを防止することができるようになる。したがって、上記構成によれば、接続されていたプロファイルの接続がユーザの意思によらず切断されることがなくなるため、切断されたままの状態が維持されることを防止することができるようになる。
【００１８】
上記請求項５に記載の構成においては、請求項６に記載の発明のように、別のプロファイルの接続要求を受け入れることを保留する旨を示す保留応答を別の近距離無線通信装置に対し送信することが望ましい。
【００１９】
なお、上記請求項５または６に記載の構成において、請求項７に記載の発明のように、所定のプロファイル以外に接続しているプロファイルを切断することにより、必要なリソースを確保することとしてもよい。
【図面の簡単な説明】
【００２０】
【図１】本発明に係る近距離無線通信装置の第１の実施の形態について、（ａ）は車載装置の構成を示すブロック図であり、（ｂ）は携帯電話機の構成を示すブロック図である。
【図２】第１の実施の形態について、動作の一例を示すシーケンス図である。
【図３】本発明に係る近距離無線通信装置の第２の実施の形態について、携帯機の構成を示すブロック図である。
【図４】第２の実施の形態について、動作の一例を示すシーケンス図である。
【図５】第３の実施の形態について、動作の一例を示すシーケンス図である。
【発明を実施するための形態】
【００２１】
（第１の実施の形態）
本発明に係る近距離無線通信装置の第１の実施の形態について、図１及び図２を参照して説明する。なお、本実施の形態では、近距離無線通信装置は、Ｂｌｕｅｔｏｏｔｈ（登録商標）（以下、ＢＴと略記する）通信機能を有するＢＴ対応の車載装置１００として具体化されており、当該車載装置１００が搭載されている図示しない車両の車室内に、ＢＴ通信機能を有するＢＴ対応の携帯電話機２００が持ち込まれ、これら車載装置１００及び携帯電話機２００がＢＴ通信可能な状態にある場合を説明する。また、ＢＴ対応の携帯電話機２００が特許請求の範囲に記載の「他の近距離無線通信装置」に相当する。
【００２２】
図１（ａ）に示されるように、車載装置１００は、制御部１０１と、ＢＴ通信部１０２と、音声処理部１０３と、マイクロホン１０４と、オーディオアンプ１０５と、スピーカ１０６及び１０７と、チューナーデッキ１０８と、記憶部１０９と、表示制御部１１０と、表示装置１１１と、タッチ操作入力部１１２と、タッチ操作入力装置１１３とを備えて構成されている。
【００２３】
制御部１０１は、周知のマイクロコンピュータからなるＣＰＵ、ＲＡＭ、ＲＯＭ及びＩ／Ｏバス等を有し、車載装置１００の通信動作やデータ管理動作等の動作全般を制御する。
【００２４】
ＢＴ通信部１０２は、制御部１０１に接続されており、制御部１０１によって制御されて携帯電話機２００との間でＢＴ通信を行なう。ＢＴ通信部１０２は、ＢＴの通信規格で規定されている複数のプロファイルとしてハンズフリー通話を規定するＨＦＰ（Hands Free Profile）や音楽ストリーミングデータのパケット転送を規定するＡ２ＤＰ（Advanced Audio Distribution Profile）等を同時に接続可能（いわゆるマルチプロファイル接続可能）である。なお、これらＨＦＰやＡ２ＤＰは、機能毎に定義された通信プロトコルを意味する。また、ＨＦＰが特許請求の範囲に記載の「所定のプロファイル」に相当し、Ａ２ＤＰが特許請求の範囲に記載の「別のプロファイル」に相当する。
【００２５】
音声処理部１０３は、マイクロホン１０４及びオーディオアンプ１０５に接続されている。このうち、マイクロホン１０４は、公知のマイクロホンから構成されており、車室内にあって例えばハンドルの近傍等のユーザが発した音声を集音し易い部位に配置されている。オーディオアンプ１０５は、公知のスピーカからなる２個のスピーカ１０６及び１０７を有して構成されている。
【００２６】
また、音声処理部１０３は、制御部１０１及びＢＴ通信部１０２に接続されており、ＢＴ通信部１０２が携帯電話機２００との間でＨＦＰを接続している間、ユーザが発した音声がマイクロホン１０４から送話音声データとして入力されると、その入力された送話音声データを音声処理してＢＴ通信部１０２に出力する一方、受話音声データがＢＴ通信部１０２から入力されると、その入力された受話音声データをオーディオアンプ１０５に出力する。
【００２７】
また、音声処理部１０３は、ストリーミングデータを蓄積する機能とストリーミングデータを再生する機能とを有している。音声処理部１０３は、ＢＴ通信部１０２が携帯電話機２００との間でＡ２ＤＰを接続している間、携帯電話機２００から送信されたストリーミングデータを受信すると、受信したストリーミングデータを蓄積し、蓄積したストリーミングデータを再生してオーディオアンプ１０５に出力する。
【００２８】
オーディオアンプ１０５は、音声処理部１０３に接続されており、この音声処理部１０３から受話音声データや音楽ストリーミングデータが入力されると、それら入力された受話音声データや音楽ストリーミングデータを増幅してスピーカ１０６及び１０７から出力する。また、オーディオアンプ１０５は、チューナーデッキ１０８にも接続されており、例えば音楽用記録媒体から再生した楽曲音やラジオ放送局から受信したラジオ番組等がこのチューナーデッキ１０８から入力されると、それら入力された楽曲音やラジオ番組を増幅してスピーカ１０６及び１０７から出力する。
【００２９】
記憶部１０９は、各種データを記憶可能に構成されており、例えば電話番号と登録名との対応を表す電話帳データ、車載装置１００からの発信動作または当該車載装置１００との間でＨＦＰを接続している携帯電話機２００からの発信動作に係る発信時刻と発信電話番号との対応を表す発信履歴データ、車載装置１００との間でＨＦＰを接続している携帯電話機２００の着信動作に係る着信時刻と着信電話番号との対応を表す着信履歴データ等を記憶可能に構成されている。記憶部１０９は、制御部１０１に接続されており、制御部１０１によって上記各種データが適宜読み出されたり書き込まれたりする。
【００３０】
表示制御部１１０は、制御部１０１及び各種画像を画面に表示する表示装置１１１に接続されており、制御部１０１から表示指令通知が入力されると、その入力された表示指令通知に基づいて表示装置１１１の表示動作を制御する。
【００３１】
タッチ操作入力部１１２は、制御部１０１及び画面上にタッチスイッチを形成するタッチ操作入力装置１１３に接続されており、ユーザが画面上に形成されたタッチスイッチを操作したことに応じてタッチ操作入力装置１１３から操作検出通知が入力されると、その入力された操作検出通知を制御部１０１に出力し、制御部１０１は、タッチ操作入力部１１２から入力した操作検出通知を解析する。
【００３２】
図１（ｂ）に示されるように、携帯電話機２００は、制御部２０１と、電話通信部２０２と、ＢＴ通信部２０３と、キー入力部２０４と、記憶部２０５と、表示部２０６と、マイクロホン２０７と、スピーカ２０８とを備えて構成されている。
【００３３】
制御部２０１は、周知のマイクロコンピュータからなるＣＰＵ、ＲＡＭ、ＲＯＭ及びＩ／Ｏバス等を有し、携帯電話機２００の動作全般を制御する。
【００３４】
電話通信部２０２は、制御部２０１に接続されており、制御部２０１によって制御されて図示しない通信網との間で電話通信を行なう。なお、この通信網は、携帯電話基地局や基地局制御装置等の周知の携帯電話通信サービスを提供する設備を含むものである。
【００３５】
ＢＴ通信部２０３は、制御部２０１に接続されており、制御部２０１によって制御されて車載装置１００との間でＢＴ通信を行なう。ＢＴ通信部２０３は、上記ＢＴ通信部１０２と同様に、ＢＴの通信規格で規定されている複数のプロファイルとしてＨＦＰやＡ２ＤＰ等を同時に接続可能（いわゆるマルチプロファイル接続可能）である。
【００３６】
キー入力部２０４は、制御部２０１に接続されており、ユーザが操作する各種キーが配列されて構成されている。ユーザによって各種キーが操作されると、キー入力部２０４は、その操作されたキーに対応する信号を制御部２０１に出力する。
【００３７】
記憶部２０５は、各種データを記憶可能に構成されており、例えば電話番号と登録名との対応を表す電話帳データや電話通信部２０２によって通信網から受信したストリーミングデータ等の各種データを記憶する。記憶部２０５は、制御部２０１に接続されており、制御部２０１によって各種データが適宜読み出されたり書き込まれたりする。
【００３８】
表示部２０６は、制御部２０１に接続されており、制御部２０１から表示指令通知が入力されると、その入力された表示指令通知に基づいて各種画像を表示する。
【００３９】
マイクロホン２０７は、公知のマイクロホンから構成されており、制御部２０１に接続されている。スピーカ２０８は、公知のスピーカから構成されており、制御部２０１に接続されている。制御部２０１は、ＢＴ通信部２０３が車載装置１００との間でＡ２ＤＰを接続している間、記憶部２０５に蓄積されているストリーミングデータを車載装置１００に対し送信する。
【００４０】
ところで、携帯電話機２００のなかには、接続相手である車載装置１００との間でＨＦＰを接続すると、さらにＡ２ＤＰを接続しようとするものがある（換言すれば、携帯電話機２００のなかには、接続相手である車載装置１００との間でプロファイルを接続することが可能であるならば、接続することが可能な全てのプロファイルを接続しようとするものがある）。また、携帯電話機２００は、車載装置１００との間でＨＦＰを接続している間にＡ２ＤＰの接続要求を送信し、Ａ２ＤＰの接続要求が受け入れられないと、先に接続していたＨＦＰの接続を切断してしまうものがある。このＨＦＰの接続を切断する動作については、課題の欄において「問題の動作」として既述している。
【００４１】
また、本実施の形態では、車載装置１００は、他の近距離無線通信装置に対し要求したプロファイルのみを接続し、他の近距離無線通信装置から当該車載装置１００に対し要求されたプロファイルの接続要求を受け入れない仕様を有している。具体的には、車載装置１００は、当該車載装置１００から携帯電話機２００へプロファイルの接続要求を送信し、携帯電話機２００からプロファイルの接続応答を受信した場合には、携帯電話機２００との間でプロファイルを接続する。しかしながら、車載装置１００は、携帯電話機２００からプロファイルの接続要求を受信した場合には、その受信したプロファイルの接続要求を受け入れることなく拒絶してプロファイルの拒絶応答を送信し、携帯電話機２００との間でプロファイルを接続しない。
【００４２】
こうした仕様を有する本実施の形態の車載装置１００が上記問題の動作を行なう携帯電話機２００と間でＨＦＰの接続を行なうと、次のような事態が生じることがある。以下、図２を参照しつつ説明する。
【００４３】
図２に示されるように、車載装置１００は、まず、ステップＳ１０１の処理として、携帯電話機２００に対しＨＦＰの接続要求を送信する。ＨＦＰの接続要求を受信した携帯電話機２００は、このＨＦＰの接続要求を拒絶することなく受け入れ、続くステップＳ１０２の処理として、車載装置１００に対しＨＦＰの接続応答（Accepted）を送信する。ＨＦＰの接続応答を受信した車載装置１００は、続くステップＳ１０３の処理として、携帯電話機２００との間でＨＦＰの接続状態となる。
【００４４】
ここで、携帯電話機２００は、車載装置１００との間でＨＦＰを接続すると、さらにＡ２ＤＰを接続しようとする。そのため、携帯電話機２００は、ステップＳ１０４の処理として、車載装置１００に対しＡ２ＤＰのサービスをサポートしているか否かを確認するサービス問い合わせを送信する。車載装置１００は、Ａ２ＤＰのサービスをサポートしていることから、携帯電話機２００からサービス問い合わせを受信すると、続くステップＳ１０５の処理として、携帯電話機２００に対しＡ２ＤＰサービス有の旨を示すサービス問い合わせ応答を送信する。そして、携帯電話機２００は、車載装置１００からＡ２ＤＰサービス有の旨を示すサービス問い合わせ応答を受信すると、続くステップＳ１０６の処理として、車載装置１００に対しＡ２ＤＰの接続要求を送信する。
【００４５】
しかしながら、車載装置１００は、上記仕様を有することから、携帯電話機２００から受信したＡ２ＤＰの接続要求を受け入れず拒絶し、続くステップＳ１０７の処理として、携帯電話機２００に対しＡ２ＤＰの拒絶応答（Not accepted）を送信する。そして、携帯電話機２００は、車載装置１００からＡ２ＤＰの拒絶応答を受信した（すなわち、Ａ２ＤＰの接続要求が受け入れられなかった）ことから、続くステップＳ１０８の処理として、車載装置１００に対しＨＦＰの切断要求を送信する（問題の動作）。
【００４６】
その結果、車載装置１００は、続くステップＳ１０９の処理として、携帯電話機２００に対しＨＦＰの切断応答（Accepted）を送信し、携帯電話機２００は、先に接続していたＨＦＰの接続をユーザの意思によらず切断し、ＨＦＰの接続が切断されたままの状態が維持されてしまう。ちなみに、従来技術は、図２中に示した破線よりも上のステップＳ１０９の処理まで行なっていた。
【００４７】
そこで、本実施の形態では、車載装置１００（詳しくは制御部１０１）は、携帯電話機２００との間でＨＦＰを接続している間に携帯電話機２００から送信されたＡ２ＤＰの接続要求を受け入れなかったことに起因してユーザの意思によらずＨＦＰの接続が切断されたか否かを検出し、切断されたことが検出された場合には、携帯電話機２００との間でＨＦＰを再接続することとした。
【００４８】
詳しくは、制御部１０１は、携帯電話機２００から送信されたＡ２ＤＰの接続要求を車載装置１００が受け入れなかった時点、すなわち車載装置１００がステップＳ１０７の処理として携帯電話機２００に対しＡ２ＤＰの拒絶応答（Not accepted）を送信した時点を基準として経過時間を計時開始し、その経過時間が所定時間（例えば「１００［ミリ秒］」等）経過する前に、携帯電話機２００との間でＨＦＰの接続が切断された場合、すなわち車載装置１００がステップＳ１０９の処理として携帯電話機２００に対しＨＦＰの切断応答を送信した場合には、携帯電話機２００との間でＨＦＰを再接続する。なお、制御部１０１の計時処理並びにステップＳ１０７及び１０９の処理が特許請求の範囲に記載の通信切断検出手段に相当する。
【００４９】
このようにしてユーザの意思によらずＨＦＰの接続が切断されたことを検出すると、車載装置１００は、続くステップＳ１１０の処理として、携帯電話機２００に対しＨＦＰの接続要求を送信する。ＨＦＰの接続要求を受信した携帯電話機２００は、このＨＦＰの接続要求を拒絶することなく受け入れ、続くステップＳ１１１の処理として、車載装置１００に対しＨＦＰの接続応答（Accepted）を送信する。ＨＦＰの接続応答を受信した車載装置１００は、続くステップＳ１１２の処理として、携帯電話機２００との間でＨＦＰの接続状態となる。なお、制御部１０１のステップＳ１１０〜Ｓ１１２の処理が特許請求の範囲に記載の通信再接続手段に相当する。
【００５０】
既述したように、携帯電話機２００は、車載装置１００との間でＨＦＰを再接続すると、さらにＡ２ＤＰを接続しようとする。そのため、携帯電話機２００は、ステップＳ１１３の処理として、車載装置１００に対しＡ２ＤＰのサービスをサポートしているか否かを確認するサービス問い合わせを送信する。車載装置１００は、Ａ２ＤＰのサービスをサポートしていることから、携帯電話機２００からサービス問い合わせを受信すると、続くステップＳ１１４の処理として、携帯電話機２００に対しＡ２ＤＰサービス有の旨を示すサービス問い合わせ応答を送信する。そして、携帯電話機２００は、車載装置１００からＡ２ＤＰサービス有の旨を示すサービス問い合わせ応答を受信すると、続くステップＳ１１５の処理として、車載装置１００に対しＡ２ＤＰの接続要求を送信する。
【００５１】
ここで、車載装置１００が上記仕様に起因してこのＡ２ＤＰの接続要求を受け入れないと、再接続したＨＦＰの接続が携帯電話機２００によってユーザの意思によらず再度切断されてしまう。その結果、接続されていたＨＦＰの接続のユーザの意思によらない切断とその切断されたＨＦＰの再接続とが繰り返されてしまう。
【００５２】
そこで、本実施の形態では、車載装置１００（詳しくは制御部１０１）は、上述した「問題の動作」を実行する携帯電話機２００に関して、携帯電話機２００との間でＨＦＰを再接続した後、携帯電話機２００からＡ２ＤＰの接続要求が再度要求された場合には、その要求を受け入れることとした。
【００５３】
具体的には、車載装置１００は、携帯電話機２００からＡ２ＤＰの接続要求を受信すると、このＡ２ＤＰの接続要求を拒絶することなく受け入れ、続くステップＳ１１６の処理として、携帯電話機２００に対しＡ２ＤＰの接続応答（Accepted）を送信する。そして、車載装置１００は、続くステップＳ１１７の処理として、携帯電話機２００との間でＨＦ
及びＡ２ＤＰの接続状態となる。なお、制御部１０１のステップＳ１１６の処理が特許請求の範囲に記載の通信再接続手段に相当する。
【００５４】
以上説明した第１の実施の形態では、車載装置１００は、携帯電話機２００に対しＡ２ＤＰの拒絶応答を送信した（Ｓ１０７）時点を基準として経過時間を計時開始し、その経過時間が所定時間経過する前に、携帯電話機２００に対しＨＦＰの切断応答を送信した（Ｓ１０９）場合には、携帯電話機２００との間でＨＦＰを再接続することとした（Ｓ１１０〜Ｓ１１２）。これにより、計時するだけの簡素な構成にて、接続されていたＨＦＰの接続のユーザの意思によらない切断を検出することができるようになり、接続されていたＨＦＰの接続がユーザの意思でなく切断された場合に、切断されたままの状態が維持されることを防止することができるようになる。
【００５５】
また、第１の実施の形態では、車載装置１００は、他の近距離無線通信装置に対し要求したプロファイルのみを接続し、他の近距離無線通信装置から当該車載装置１００に対し要求されたプロファイルの接続要求を受け入れない仕様を有しているが、「問題の動作」を行う携帯電話機２００に対しては、携帯電話機２００との間でＨＦＰを再接続した後、携帯電話機２００からＡ２ＤＰの接続要求が再度要求された場合には、その要求を受け入れることとした（Ｓ１１６）。これにより、再接続したＨＦＰの接続が携帯電話機２００によって再度切断されることがなくなるため、接続されていたＨＦＰの接続のユーザの意思でない切断とその切断されたＨＦＰの再接続とが繰り返されなくなる。
【００５６】
（第２の実施の形態）
次に、本発明に係る近距離無線通信装置の第２の実施の形態について、図３及び図４を参照して説明する。
【００５７】
なお、本実施の形態では、先の第１の実施の形態と同様に、近距離無線通信装置は、Ｂｌｕｅｔｏｏｔｈ（登録商標）（以下、ＢＴと略記する）通信機能を有するＢＴ対応の車載装置１００として具体化されており、当該車載装置１００が搭載されている図示しない車両の車室内に、ＢＴ通信機能を有するＢＴ対応の携帯電話機２００及びＢＴ通信機能を有するＢＴ対応の携帯機３００が持ち込まれ、これら車載装置１００、携帯電話機２００、携帯機３００がＢＴ通信可能な状態にある場合を説明する。
【００５８】
また、本実施の形態では、車載装置１００は、他の近距離無線通信装置に対し要求したプロファイルのみを接続し、他の近距離無線通信装置から当該車載装置１００に対し要求されたプロファイルの接続要求を受け入れない仕様を有していないが、リソースが不足している場合には、他の近距離無線通信装置から要求されたプロファイルの接続を受け入れない。
【００５９】
以下、先の第１の実施の形態と異なる部分を中心に詳述する。図３に示されるように、携帯機３００は、制御部３０１と、ＢＴ通信部３０２と、記憶部３０３と、表示部３０４と、操作部３０５と、スピーカ３０６とを備えて構成されている。
【００６０】
制御部３０１は、周知のマイクロコンピュータからなるＣＰＵ、ＲＡＭ、ＲＯＭ及びＩ／Ｏバス等を有し、携帯機３００の動作全般を制御する。
【００６１】
ＢＴ通信部３０２は、制御部３０１に接続されており、制御部３０１によって制御されて車載装置１００との間でＢＴ通信を行なう。ＢＴ通信部３０２は、ＢＴの通信規格で規定されている複数のプロファイルとしてＡ２ＤＰ等を接続可能である。
【００６２】
記憶部３０３は、例えばストリーミングデータ等の各種データを記憶可能に構成されている。記憶部３０３は、制御部３０１に接続されており、制御部３０１によって各種データが適宜読み出される。
【００６３】
表示部３０４は、制御部３０１に接続されており、制御部３０１から表示指令通知が入力されると、その入力された表示指令通知に基づいて各種画像を表示する。
【００６４】
操作部３０５は、制御部３０１に接続されており、ユーザが操作する例えばプッシュボタン等にて構成されている。ユーザによってプッシュボタンが操作されると、操作部３０５は、その操作されたプッシュボタンに対応する信号を制御部３０１に出力する。
【００６５】
スピーカ３０６は、公知のスピーカから構成されており、制御部３０１に接続されている。
【００６６】
制御部３０１は、ＢＴ通信部３０２が車載装置１００との間でＡ２ＤＰを接続している間、記憶部３０３に蓄積されているストリーミングデータを車載装置１００に対し送信する。また、制御部３０１は、ＢＴ通信部３０２が車載装置１００との間でＡ２ＤＰを接続されていない場合、記憶部３０３に蓄積されているストリーミングデータを再生してスピーカ３０６から出力する。
【００６７】
ところで、携帯電話機２００は、先の第１の実施の形態と同様に、「問題の動作」を行なう。また、本実施の形態では、車載装置１００は、他の近距離無線通信装置に対し要求したプロファイルのみを接続し、他の近距離無線通信装置から当該車載装置１００に対し要求されたプロファイルの接続要求を受け入れない仕様を有していないが、リソースが不足している場合には、他の近距離無線通信装置から要求されたプロファイルの接続を受け入れない。具体的には、車載装置１００は、携帯電話機２００や携帯機３００からプロファイルの接続要求を受信すると、当該車載装置１００のリソースの残量を確認し、リソースが不足している場合には、すなわち、要求されたプロファイルを接続するリソースがない場合には、携帯電話機２００や携帯機３００に対しプロファイルの拒絶応答（Not accepted）を送信する。
【００６８】
こうした本実施の形態の車載装置１００が上記問題の動作を行なう携帯電話機２００と間でＨＦＰの接続を行なうと、次のような事態が生じることがある。以下、図４を参照しつつ説明する。
【００６９】
図４に示されるように、車載装置１００は、既に、携帯機３００との間でＡ２ＤＰの接続状態にあるものとし（ステップＳ２０１の処理）、こうした状態において、車載装置１００が携帯電話機２００に対しＨＦＰの接続要求を送信したものとする（ステップＳ２０２の処理）。
【００７０】
このとき、ＨＦＰの接続要求を受信した携帯電話機２００は、このＨＦＰの接続要求を拒絶することなく受け入れ、続くステップＳ２０３の処理として、車載装置１００に対しＨＦＰの接続応答（Accepted）を送信する。ＨＦＰの接続応答を受信した車載装置１００は、続くステップＳ２０４の処理として、携帯電話機２００との間でＨＦＰの接続状態となる。
【００７１】
ここで、携帯電話機２００は、車載装置１００との間でＨＦＰを接続すると、さらにＡ２ＤＰを接続しようとする。そのため、携帯電話機２００は、ステップＳ２０５の処理として、車載装置１００に対しＡ２ＤＰのサービスをサポートしているか否かを確認するサービス問い合わせを送信する。車載装置１００は、Ａ２ＤＰのサービスをサポートしていることから、携帯電話機２００からサービス問い合わせを受信すると、続くステップＳ２０６の処理として、携帯電話機２００に対しＡ２ＤＰサービス有の旨を示すサービス問い合わせ応答を送信する。そして、携帯電話機２００は、車載装置１００からＡ２ＤＰサービス有の旨を示すサービス問い合わせ応答を受信すると、続くステップＳ２０７の処理として、車載装置１００に対しＡ２ＤＰの接続要求を送信する。
【００７２】
しかしながら、車載装置１００は、既に携帯機３００とＡ２ＤＰの接続を行っており、新たにＡ２ＤＰの接続を行うリソースがないことから、携帯電話機２００から受信したＡ２ＤＰの接続要求を受け入れることができず拒絶し、続くステップＳ２０８の処理として、携帯電話機２００に対しＡ２ＤＰの拒絶応答（Not accepted）を送信する。そして、携帯電話機２００は、車載装置１００からＡ２ＤＰの拒絶応答を受信した（すなわち、Ａ２ＤＰの接続要求が受け入れられなかった）ことから、続くステップＳ２０９の処理として、車載装置１００に対しＨＦＰの切断要求を送信する（問題の動作）。
【００７３】
その結果、車載装置１００は、続くステップＳ２１０の処理として、携帯電話機２００に対しＨＦＰの切断応答（Accepted）を送信し、携帯電話機２００は、先に接続していたＨＦＰの接続をユーザの意思によらず切断し、ＨＦＰの接続が切断されたままの状態が維持されてしまう。また、車載装置１００は、携帯機３００との間でＡ２ＤＰの接続状態が維持されたままとなる（ステップＳ２１１の処理）。ちなみに、従来技術は、図４中に示した破線よりも上のステップＳ２１１の処理まで行なっていた。
【００７４】
そこで、本実施の形態では、車載装置１００（詳しくは制御部１０１）は、携帯電話機２００との間でＨＦＰを接続している間に携帯電話機２００から送信されたＡ２ＤＰの接続要求を受け入れなかったことに起因してユーザの意思によらずＨＦＰの接続が切断されたか否かを検出し、切断されたことが検出された場合には、Ａ２ＤＰを接続するに必要なリソースを確保した上で、携帯電話機２００との間でＨＦＰを再接続することとした。
【００７５】
詳しくは、制御部１０１は、携帯電話機２００から送信されたＡ２ＤＰの接続要求を車載装置１００が受け入れなかった時点、すなわち車載装置１００がステップＳ２０８の処理として携帯電話機２００に対しＡ２ＤＰの拒絶応答（Not accepted）を送信した時点を基準として経過時間を計時開始する。その経過時間が所定時間（例えば「１００［ミリ秒］」等）経過する前に、携帯電話機２００との間でＨＦＰの接続が切断された場合、すなわち車載装置１００がステップＳ２１０の処理として携帯電話機２００に対しＨＦＰの切断応答を送信した場合には、携帯機３００との間で接続していたＡ２ＤＰの接続を切断することで携帯電話機２００との間でＡ２ＤＰを接続するに必要なリソースを確保した上で、携帯電話機２００との間でＨＦＰを再接続する。
【００７６】
具体的には、制御部１０１は、続くステップＳ２１２の処理として、携帯機３００に対しＡ２ＤＰの切断要求を送信する。その結果、Ａ２ＤＰの接続要求を受信した携帯機３００は、このＡ２ＤＰの切断要求を拒絶することなく受け入れ、続くステップＳ２１３の処理として、車載装置１００に対しＡ２ＤＰの切断応答（Accepted）を送信し、車載装置１００と携帯機３００との間のＡ２ＤＰの接続が切断され、車載装置１００のリソースが確保される。なお、制御部１０１のステップＳ２１２の処理が特許請求の範囲に記載の通信再接続手段に相当する。
【００７７】
このようにして車載装置１００のリソースが確保されると、車載装置１００は、続くステップＳ２１４の処理として、携帯電話機２００に対しＨＦＰの接続要求を送信する。ＨＦＰの接続要求を受信した携帯電話機２００は、このＨＦＰの接続要求を拒絶することなく受け入れ、続くステップＳ２１５の処理として、車載装置１００に対しＨＦＰの接続応答（Accepted）を送信する。ＨＦＰの接続応答を受信した車載装置１００は、続くステップＳ２１６の処理として、携帯電話機２００との間でＨＦＰの接続状態となる。なお、制御部１０１のステップＳ２１４〜Ｓ２１６の処理が特許請求の範囲に記載の通信再接続手段に相当する。
【００７８】
既述したように、携帯電話機２００は、車載装置１００との間でＨＦＰを再接続すると、さらにＡ２ＤＰを接続しようとする。そのため、携帯電話機２００は、ステップＳ２１７の処理として、車載装置１００に対しＡ２ＤＰのサービスをサポートしているか否かを確認するサービス問い合わせを送信する。車載装置１００は、Ａ２ＤＰのサービスをサポートしていることから、携帯電話機２００からサービス問い合わせを受信すると、続くステップＳ２１８の処理として、携帯電話機２００に対しＡ２ＤＰサービス有の旨を示すサービス問い合わせ応答を送信する。そして、携帯電話機２００は、車載装置１００からＡ２ＤＰサービス有の旨を示すサービス問い合わせ応答を受信すると、続くステップＳ２１９の処理として、車載装置１００に対しＡ２ＤＰの接続要求を送信する。
【００７９】
車載装置１００は、携帯電話機２００からＡ２ＤＰの接続要求を受信すると、携帯電話機２００との間でＡ２ＤＰを接続するに必要なリソースが確保されていることから、このＡ２ＤＰの接続要求を拒絶することなく受け入れ、続くステップＳ２２０の処理として、携帯電話機２００に対しＡ２ＤＰの接続応答（Accepted）を送信する。そして、車載装置１００は、続くステップＳ２２１の処理として、携帯電話機２００との間でＨＦＰ及びＡ２ＤＰの接続状態となる。
【００８０】
なお、本実施の形態の車載装置１００は、携帯電話機２００や携帯機３００との間でＡ２ＤＰを接続するよりも、ＨＦＰを接続することを優先する。
【００８１】
以上説明した第２の実施の形態では、先の第１の実施の形態と同様に、車載装置１００は、携帯電話機２００に対しＡ２ＤＰの拒絶応答を送信した（Ｓ２０８）時点を基準として経過時間を計時開始し、その経過時間が所定時間経過する前に、携帯電話機２００に対しＨＦＰの切断応答を送信した（Ｓ２１０）場合には、携帯電話機２００との間でＨＦＰを再接続することとした（Ｓ２１４〜Ｓ２１６）。これにより、計時するだけの簡素な構成にて、接続されていたＨＦＰの接続のユーザの意思でない切断を検出することができるようになり、接続されていたＨＦＰの接続がユーザの意思でなく切断された場合に、切断されたままの状態が維持されることを防止することができるようになる。
【００８２】
また、第２の実施の形態では、車載装置１００は、リソースが不足している場合には、他の近距離無線通信装置から要求されたプロファイルの接続を受け入れないものであり、Ａ２ＤＰを接続するに必要なリソースを確保した上で、携帯電話機２００との間でＨＦＰを再接続することとした。携帯電話機２００との間でＡ２ＤＰを接続するに必要なリソースを確保しないままＨＦＰの再接続を行なうと、接続されていたＨＦＰのユーザの意思でない切断とその切断されたＨＦＰの再接続とが繰り返されるところ、Ａ２ＤＰを接続するに必要なリソースを確保した上で携帯電話機２００との間でＨＦＰを再接続することから、再接続したＨＦＰの接続が携帯電話機２００によって再度切断されることがなくなるため、接続されていたＨＦＰのユーザの意思によらない切断とその切断されたＨＦＰの再接続とは繰り返されなくなる。
【００８３】
（第３の実施の形態）
次に、本発明に係る近距離無線通信装置の第３の実施の形態について、図５を参照して説明する。
【００８４】
なお、本実施の形態では、先の第１の実施の形態及び第２の実施の形態と同様に、近距離無線通信装置は、Ｂｌｕｅｔｏｏｔｈ（登録商標）（以下、ＢＴと略記する）通信機能を有するＢＴ対応の車載装置１００として具体化されており、当該車載装置１００が搭載されている図示しない車両の車室内に、ＢＴ通信機能を有するＢＴ対応の携帯電話機２００及びＢＴ通信機能を有するＢＴ対応の携帯機３００が持ち込まれ、これら車載装置１００、携帯電話機２００、携帯機３００がＢＴ通信可能な状態にある場合を説明する。
【００８５】
また、本実施の形態では、携帯電話機２００は、先の第１の実施の形態と同様に、「問題の動作」を行なう。
【００８６】
また、本実施の形態では、先の第２の実施の形態と同様に、車載装置１００は、他の近距離無線通信装置に対し要求したプロファイルのみを接続し、他の近距離無線通信装置から当該車載装置１００に対し要求されたプロファイルの接続要求を受け入れない仕様を有していない。しかしながら、車載装置１００は、先の第２の実施の形態とは異なり、リソースが不足している場合には、他の近距離無線通信装置から要求されたプロファイルの接続要求を受け入れることを保留し、その保留している間にリソースを確保した後、他の近距離無線通信装置から要求されたプロファイルの接続要求を受け入れる。具体的には、車載装置１００は、携帯電話機２００や携帯機３００からプロファイルの接続要求を受信すると、当該車載装置１００のリソースの残量を確認し、リソースが不足している場合には、すなわち、要求されたプロファイルを接続するリソースがない場合には、携帯電話機２００や携帯機３００に対しプロファイルを受け入れることを保留する保留応答（Pending）を送信する。
【００８７】
以下、図５を参照しつつ説明する。図５に示されるように、車載装置１００は、既に、携帯機３００との間でＡ２ＤＰの接続状態にあるものとし（ステップＳ３０１の処理）、こうした状態において、車載装置１００が携帯電話機２００に対しＨＦＰの接続要求を送信したものとする（ステップＳ３０２の処理）。
【００８８】
このとき、ＨＦＰの接続要求を受信した携帯電話機２００は、このＨＦＰの接続要求を拒絶することなく受け入れ、続くステップＳ３０３の処理として、車載装置１００に対しＨＦＰの接続応答（Accepted）を送信する。ＨＦＰの接続応答を受信した車載装置１００は、続くステップＳ３０４の処理として、携帯電話機２００との間でＨＦＰの接続状態となる。
【００８９】
ここで、携帯電話機２００は、車載装置１００との間でＨＦＰを接続すると、さらにＡ２ＤＰを接続しようとする。そのため、携帯電話機２００は、ステップＳ３０５の処理として、車載装置１００に対しＡ２ＤＰのサービスをサポートしているか否かを確認するサービス問い合わせを送信する。車載装置１００は、Ａ２ＤＰのサービスをサポートしていることから、携帯電話機２００からサービス問い合わせを受信すると、続くステップＳ３０６の処理として、携帯電話機２００に対しＡ２ＤＰサービス有の旨を示すサービス問い合わせ応答を送信する。そして、携帯電話機２００は、車載装置１００からＡ２ＤＰサービス有の旨を示すサービス問い合わせ応答を受信すると、続くステップＳ３０７の処理として、車載装置１００に対しＡ２ＤＰの接続要求を送信する。
【００９０】
なお、先の図４に示した第２の実施の形態では、車載装置１００は、既に携帯機３００とＡ２ＤＰの接続を行っており、新たにＡ２ＤＰの接続を行うリソースがないことから、携帯電話機２００から受信したＡ２ＤＰの接続要求を受け入れることができず拒絶し、続くステップＳ２０８の処理として、携帯電話機２００に対しＡ２ＤＰの拒絶応答（Not accepted）を送信していた。そして、携帯電話機２００は、車載装置１００からＡ２ＤＰの拒絶応答を受信した（すなわち、Ａ２ＤＰの接続要求が受け入れられなかった）ことから、続くステップＳ２０９の処理として、車載装置１００に対しＨＦＰの切断要求を送信していた（問題の動作）。
【００９１】
その結果、車載装置１００は、続くステップＳ２１０の処理として、携帯電話機２００に対しＨＦＰの切断応答（Accepted）を送信し、携帯電話機２００は、先に接続していたＨＦＰの接続をユーザの意思によらず切断する。このように、第２の実施形態では、車載装置１００と携帯電話機２００とのＨＦＰ接続が、僅かな時間ではあるが、切断されてしまうものであった。
【００９２】
そこで、本実施の形態では、車載装置１００（詳しくは制御部１０１）は、携帯電話機２００との間でＨＦＰを接続している間に携帯電話機２００から送信されたＡ２ＤＰの接続要求を受け入れることを保留し、その保留している間に、既に携帯機３００との間で接続しているＡ２ＤＰを切断することにより、携帯電話機２００との間でＡ２ＤＰを接続するに必要なリソースを確保した後、携帯電話機２００から送信されたＡ２ＤＰの接続要求を受け入れることとした。なお、携帯機３００との間で接続しているＡ２ＤＰが特許請求の範囲に記載の所定のプロファイル以外に接続しているプロファイルに相当する。
【００９３】
詳しくは、制御部１０１は、携帯電話機２００から送信されたＡ２ＤＰの接続要求を受信すると、当該車載装置１００のリソースの残量を確認し、リソースが不足している場合には、すなわち、要求されたプロファイルを接続するリソースがない場合には、Ａ２ＤＰの接続要求を受け入れることを保留し、ステップＳ３０８の処理として、保留する旨を示す保留応答（Pending）を携帯電話機２００に対し送信する。Ａ２ＤＰの保留応答（Pending）を受信した携帯電話機２００は、Ａ２ＤＰの拒絶応答（Not Accepted)を受信したわけではないため、車載装置１００との間で接続していたＨＦＰを切断することなく、Ａ２ＤＰの接続に係る処理の進行を一旦停止する。
【００９４】
制御部１０１は、このようにしてＡ２ＤＰの接続要求を受け入れることを保留している間に、続くステップＳ３０９の処理として、携帯機３００に対しＡ２ＤＰの切断要求を送信する。携帯機３００は、このＡ２ＤＰの切断要求を拒絶することなく受け入れ、続くステップＳ３１０の処理として、車載装置１００に対しＡ２ＤＰの切断応答（Accepted）を送信する。その結果、車載装置１００と携帯機３００との間のＡ２ＤＰの接続が切断され、車載装置１００のリソースが確保される。
【００９５】
車載装置１００のリソースが確保されると、車載装置１００は、先のステップＳ３０７の処理において受信し受け入れることを保留していたＡ２ＤＰの接続要求を受け入れ、続くステップＳ３１１の処理として、携帯電話機２００に対しＡ２ＤＰの接続応答（Accepted）を送信する。そして、車載装置１００は、続くステップ３１２の処理として、携帯電話機２００との間でＨＦＰ及びＡ２ＤＰの接続状態となる。
【００９６】
なお、本実施の形態の車載装置１００でも、携帯電話機２００や携帯機３００との間でＡ２ＤＰを接続するよりも、ＨＦＰを接続することを優先する。
【００９７】
以上説明した第３の実施の形態では、車載装置１００は、携帯電話機２００との間でＨＦＰを接続しているときに、携帯電話機２００からＡ２ＤＰの接続要求を受信すると、一旦、そのＡ２ＤＰの接続要求を受け入れることを保留する。その保留している間に、既に携帯機３００との間で接続しているＡ２ＤＰを切断することにより、携帯電話機２００との間でＡ２ＤＰを接続するに必要なリソースを確保した後、携帯電話機２００から送信されたＡ２ＤＰの接続要求を受け入れる。
【００９８】
携帯電話機２００は、車載装置１００からＡ２ＤＰの拒絶応答を受信したわけではないため、車載装置１００との間で接続していたＨＦＰを切断することなく、Ａ２ＤＰの接続に係る処理の進行を一旦停止（保留）するだけである。したがって、上記構成によれば、接続されていたＨＦＰの接続がユーザの意思によらず切断されることがないため、ＨＦＰが切断されたままの状態が維持されることを防止することができるようになる。
【符号の説明】
【００９９】
１００…Ｂｌｕｅｔｏｏｔｈ対応車載装置（近距離無線通信装置）、１０１…制御部（通信切断検出手段、通信再接続手段）、１０２…Ｂｌｕｅｔｏｏｔｈ通信部、１０３…音声処理部、１０４…マイクロホン、１０５…オーディオアンプ、１０６，１０７…スピーカ、１０８…チューナーデッキ、１０９…記憶部、１１０…表示制御部、１１１…表示装置、１１２…タッチ操作入力部、１１３…タッチ操作入力装置、２００…Ｂｌｕｅｔｏｏｔｈ対応携帯電話機（近距離無線通信装置）、２０１…制御部、２０２…電話通信部、２０３…Ｂｌｕｅｔｏｏｔｈ通信部、２０４…キー入力部、２０５…記憶部、２０６…表示部、２０７…マイクロホン、２０８…スピーカ。
【図１】
0005472002.tif 000002
【図２】
0005472002.tif 000003
【図３】
0005472002.tif 000004
【図４】
0005472002.tif 000005
【図５】
0005472002.tif 000006